(57)【要約】【課題】  係止リングを別途連結片に形成する必要がなく、正確な位置に容易に位置決めして取り付けることができる書類綴じ具及びこれを用いたファイルを提供すること。【解決手段】  一方の基片２に少なくとも１対の帯状綴じ片６が設けられ、他方の基片３に前記綴じ片の先端部に設けた係止部７と係脱可能に係止する係止部１６が設けられている合成樹脂製書類綴じ具１であって、一方の基片２と他方の基片３が、セパレート片５により互いに平行で、かつ所定の間隔をおいて離脱可能に取り付けられていることを特徴とする。【選択図】        図１
2005125562.tif 000002
【特許請求の範囲】
【請求項１】
一方の基片に少なくとも１対の帯状綴じ片が設けられ、他方の基片に前記綴じ片の先端部に設けた係止部と係脱可能に係止する係止部が設けられている合成樹脂製書類綴じ具であって、一方の基片と他方の基片が、セパレート片により互いに平行で、かつ所定の間隔をおいて離脱可能に取り付けられていることを特徴とする書類綴じ具。
【請求項２】
セパレート片は、一方の基片及び他方の基片との取付側の縁部が離脱し易いように一部カットされて取り付けられている請求項１記載の書類綴じ具。
【請求項３】
対となる綴じ片が綴じ込む書類に明けた穴の間隔をおいて設けられ、かつ一方の基片及び他方の基片がセパレータによりファイルの背部幅の間隔をおいて設けられている請求項１又は２記載の書類綴じ具。
【請求項４】
請求項１ないし３のいずれかに記載の書類綴じ具がセパレータ片の離脱により、一方の基片が裏表紙の背部を形成する一方の折り目の外側に、他方の基片が裏表紙の背部を形成する他方の折り目の外側に取り付けられ、一方の基片の帯状綴じ片の係止部が他方の基片の係止部に係止可能になっていることを特徴とするファイル。
【請求項５】
一方の基片は、帯状綴じ片が他方の基片側を向くように取り付けられている請求項４記載のファイル。
【発明の詳細な説明】
【技術分野】
【０００１】
この発明は、病院等で用いられるカルテや事務用カードなど各種の書類を綴じ込むのに適した書類綴じ具及びこれを用いたファイルに関するものである。
【背景技術】
【０００２】
この種の書類綴じ具及びファイルに関する技術が、従来から知られている（例えば、特許文献１参照。）。これはバインダーとして、基片に１対の帯状綴じ片を有する書類綴じ具が裏表紙の背部を形成する一方の折り目の外側に取り付けられ、この綴じ具の両綴じ片の先端部に設けた係止突起が係脱可能に係止する係止リングが背部の反対側に連接された連結片に形成されているものである。そして書類を綴じ込む際には、綴じ具の両綴じ片に書類に明けた穴を差し込んだ後、該綴じ片の先端部を係止リングに通して係止突起を係止リングに係止する。これにより両綴じ片は基端部と先端部間でアーチ状に湾曲した状態とされ、この状態で両綴じ片に挿通された書類は保持されることとなる。
【０００３】
【特許文献１】登録実用新案第３０４５３８９号公報（第２頁、図２）
【発明の開示】
【発明が解決しようとする課題】
【０００４】
ところで、前記従来のバインダーは、その製作過程においてバインダーの裏表紙へ綴じ具を取り付ける一方、係止リングを別途連結片に形成しなければならず、作業が別々の作業となってしまい、煩雑で時間のかかるものとなっていた。また綴じ具の取り付けに際し、連結片の係止リングとの位置決めが大変で、正確な位置に取り付けにくいとともに、使用中に綴じ片の負荷が係止リングに強くかかると、係止リングの縁部が変形したり破損してしまうという問題点があった。
【０００５】
そこでこの発明は、前記従来のものの問題点を解決し、係止リングを別途連結片に形成する必要がなく、正確な位置に容易に位置決めして取り付けることができる書類綴じ具及びこれを用いたファイルを提供することを目的とする。
【課題を解決するための手段】
【０００６】
前記課題を解決するために、請求項１に記載の書類綴じ具に係る発明は、一方の基片に少なくとも１対の帯状綴じ片が設けられ、他方の基片に前記綴じ片の先端部に設けた係止部と係脱可能に係止する係止部が設けられている合成樹脂製書類綴じ具であって、一方の基片と他方の基片が、セパレート片により互いに平行で、かつ所定の間隔をおいて離脱可能に取り付けられていることを特徴とする。
【０００７】
請求項２に記載の書類綴じ具に係る発明は、請求項１において、セパレート片は、一方の基片及び他方の基片との取付側の縁部が離脱し易いように一部カットされて取り付けられていることを特徴とする。請求項３に記載の書類綴じ具に係る発明は、請求項１又は２において、対となる綴じ片が綴じ込む書類に明けた穴の間隔をおいて設けられ、かつ一方の基片及び他方の基片がセパレータによりファイルの背部幅の間隔をおいて設けられていることを特徴とする。
【０００８】
請求項４に記載のファイルに係る発明は、請求項１ないし３のいずれかに記載の書類綴じ具がセパレータ片の離脱により、一方の基片が裏表紙の背部を形成する一方の折り目の外側に、他方の基片が裏表紙の背部を形成する他方の折り目の外側に取り付けられ、一方の基片の帯状綴じ片の係止部が他方の基片の係止部に係止可能になっていることを特徴とする。請求項５に記載のファイルに係る発明は、請求項４において、一方の基片は、帯状綴じ片が他方の基片側を向くように取り付けられていることを特徴とする。
【発明の効果】
【０００９】
この発明は、前記のような構成であるから、請求項１〜３の書類綴じ具に係る発明にあっては、係止部が他方の基片に設けられているので、従来の係止リングのように別途連結片に形成する必要がなく、そのぶん加工も容易となり、加工に時間もかからず、作業性がよくなる。また、一方の基片と他方の基片はセパレート片により互いに平行で、かつ所定の間隔をおいて離脱可能に取り付けられるため、綴じ具を正確な位置に容易に位置決めして取り付けることができる。請求項４のファイルに係る発明にあっては、請求項１〜３の綴じ具によって書類を効率よく綴じることができて、しかも従来のものに比べて損傷が少ない。請求項５のファイルに係る発明にあっては、インナーファイルを綴じ込むことができるとともに、該インナーファイルを綴じ片に沿って簡単に反転させることができ、取扱い易い等の優れた効果がある。
【発明を実施するための最良の形態】
【００１０】
この発明の実施の形態を、書類としてカルテ（診療録）を綴じる例を示しながら添付図面を参照して説明する。
【００１１】
図１は書類綴じ具の平面図、図２は図１のＡ−Ａ線に沿う縦断面図である。両図において、１は全体がポリプロピレンなどの合成樹脂製書類綴じ具で、共に同じ大きさの細長い形状からなる一方の基片２と他方の基片３、さらに両基片２，３を互いに平行で、かつ所定の間隔をおいて離脱可能に取り付けるセパレート片５からなっている。一方の基片２の両端部には１対の帯状綴じ片６，６が直角方向外向けに一体に設けられ、該綴じ片の先端部はやや丸みのある先細状に形成されているとともに、先端部裏面には係止突起７，７が設けられている。係止突起７，７は先端から基端に向けてテーパ高さが高くなった楔状に形成されていて、後記係止穴に挿通した後に基端面が係止するようになっている。
【００１２】
一方の基片２における綴じ片６，６の基端部と接する部分の両側は屈曲し易くするために内向きに略半円状に切欠８されている。また、該切欠部と対応する綴じ片６，６の基端部の表面には図３に示すように断面山型の２つの凸部１０が間隔をおいて形成されているとともに、該間隔の基端部の厚さが他部より幾分薄く形成されていて、綴じ片６，６が基端部を介して大きく屈曲しても、凸部１０同士のぶつかり合いにより所定角度（この例では９０°）以上は屈曲しないようになっていて、綴じ片６，６の折損が防止できるようになっている。一方の基片２における綴じ片６，６の基端部と接する中央部分の表裏面、及び一方の基片２の図１に表示した部分の表裏面にはエンボス加工で凹凸とした加熱溶着部１１が形成され、ファィル等への取り付けに際して、熱を加えたときに溶け易くなっている。
【００１３】
他方の基片３の両端部には一方の基片２の綴じ片６，６と対応する位置に短片１５，１５が直角方向外向けに一体に設けられ、該短片には一方の基片２の綴じ片６，６の係止突起７，７が係脱可能に係止する係止穴１６，１６が切欠により形成されている。他方の基片３における短片８，８の基端部と接する部分の両側は屈曲し易くするために内向きに略半円状に切欠１７されている。また、図４に示すように他方の基片３における短片１５，１５の基端部と接する中央部分の裏面、及び他方の基片３の図１に表示した部分の裏面にはエンボス加工で凹凸とした加熱溶着部１８が形成され、ファィル等への取り付けに際して、熱を加えたときに溶け易くなっている。他方の基片３における短片１５，１５の基端部と接する中央部分の表面には凹状のヒンジ部１９が設けられ、該ヒンジ部を介して短片１５，１５が屈曲し易いようになっている。
【００１４】
セパレート片５は、一方の基片２及び他方の基片３の長さ方向中央部を一体に連結して配置されている。セパレート片５の一方の基片２及び他方の基片３との取付側の縁部は離脱し易いように一部カット２０されている。セパレータ片５によって両片２，３は互いに平行を保たれ、かつ所定の間隔をおいて配置される。そして、前記間隔は綴じ具１が取り付けられる後記ファイルの背部幅の間隔をおいて形成されるようになっている。
【００１５】
図５は別の実施の形態を示し、この実施の形態の書類綴じ具３１において前記実施の形態の書類綴じ具１と相違する点は、一方の基片２に設けられる綴じ片６が２対、すなわち等間隔で４つ設けられていること、及びセパレータ片５Ａの形状が異なることであり、その他の構成は同様となっている。そのため、同様の部分には同一符合を付して、説明は省略する。この実施の形態のセパレータ片５Ａは十字形状となっている。このような構成の書類綴じ具においては、前記と同様に後記ファイルへの取り付け後に４つ穴のカルテを綴じることができる。
【００１６】
前記のような書類綴じ具１，３１をファィルへ取り付けるには、図６にその一方の綴じ具１をファイル３５に取り付けた状態を示すように裏表紙３６の背部を挟む位置、すなわち背部を形成する一方及び他方の折り目の外側に一方の基片２及び他方の基片３がくるように位置決めした後、該両片の加熱溶着部１１，１８にインジエクションにより熱を加える。この加熱により加熱溶着部１１，１８の一部が溶け出して両片は該位置にしっかりと溶着される。溶着後、セパレータ片５を手で剥ぎ取る。この剥ぎ取りはセパレータ片５の両辺２，３と連結されている縁部の一部がカットされているので、容易にできる。このような綴じ具１の取り付けによれば、両辺２，３の位置決めがスムーズにいき、従来のもののように位置決めに神経を使わなくともよくなる。ファイル３５は透明又は半透明の合成樹脂製となっているが、必ずしも合成樹脂製でなくともよく、一方の基片２及び他方の基片３の加熱溶着部１１，１８と溶着する被加熱溶着部を別体として有すれば、例えば紙製でもよい。
【００１７】
使用に際しては、図７に示すように一方の基片２に設けられる綴じ片６を手で持ってそれに必要な枚数のカルテの綴じ穴を通し、それが終えたら綴じ片６の先端部を短片１５の係止穴１６に挿入して係止突起７と係止するようにする。これで両係止部７，１６が係止し合うので綴じ片６は係止穴１６から外れることなく、カルテはファイル３５の裏表紙３６間に綴じられた状態となる。追加のカルテがある場合には手で一旦係止を解き、同様なやり方で綴じていく。ファィル３５を開いて綴じられたカルテを見る際にはカルテを綴じている綴じ具１の綴じ片６が適度の硬度により湾曲を保持するので、カルテの捲りによる検索がスムーズにできる。
【００１８】
図８，９は異なる使用形態を示し、この使用形態においては前記別の実施の形態の綴じ具３１のうち、一方の基片２に設けられる綴じ片６が反対向きに、すなわち係止穴１６の方向を向くように設けていることであり、その他は同様となっている。このような使用態様にするには、図示省略したが、綴じ片６が反対向きとなるようにセパレート片５Ａで一方の基片２と他方の基片３を連結した綴じ具を作っておく。そして、前記と同様にしてファイルに取り付け、取り付け後にインナーファイル３８の縁部に明けた綴じ穴３９を一方の基片２の綴じ片６に通して保持する。そして、必要数のインナーファイル３８が保持されたら綴じ片６の先端側を係止穴１６に入れて係止突起７を該係止穴に係止させる。インナーファイル３８の数は例えば一人の患者が受ける診療科の数とし、各ファイルに形成したポケット部４０に科別のカルテを挿入する。つまり、カルテは、１号用紙（必ず表紙にある基本事項、氏名、保険者名、ＩＤ番号、病丁記録、保険証等のことをいう）をはじめ、２号用紙、３号用紙、４号用紙…とあり、一人の患者が６科診療すれば、６枚のインナーフォルダが必要となる。４１はポケット部４０の開口を示す。
【００１９】
このような構成の綴じ具においては、メインとなるファイル３５とインナーファイル３８の組み合せとなり、耐久性に優れて破れにくい仕様となる。しかも、前記したような通常と違う仕様での使い方となるので、インナーファイル３８を使う場合でもファイル３５における収納高さがオーバーすることがなく、綴じた状態では図９に示すようにインナーファイル３８の綴じ側縁がファイル３５の背部近くに集中するので、嵩張らずカルテ棚への収納が余裕をもって行うことができるとともに、カルテにも負担をかけない。各科のドクターは自分の科目のインナーファイル３８だけを直ぐに開いて検索でき、カルテの追加もスムーズにできる。また、カルテが厚くなってきたら各科ごとに分冊して使用することもできる。
【００２０】
尚、前記各実施の形態においては、綴じ片６が１対（２連）、綴じ片６が２対（４連）のものについて説明したが、必ずしもこれに限定されるものではなく、３連、あるいは５連以上のものでもよい。また、図に示したようにセパレータ片５，５Ａもその形状等は好ましい一例を示したにすぎず、図示以外の形状のものを採用してもよい。さらに、係止部として係止突起７と係止リング１６を例として説明したが、これも特にこれらに限定されるものではなく、他の同効のものに代えてもよい。
【図面の簡単な説明】
【００２１】
【図１】実施の形態に係る書類綴じ具を示す平面図である。
【図２】図１のＡ−Ａ線に沿う縦断面図である。
【図３】図１のＢ−Ｂ線に沿う要部拡大縦断面図である。
【図４】図１のＣ−Ｃ線に沿う要部拡大縦断面図である。
【図５】別の実施の形態に係る書類綴じ具を示す平面図である。
【図６】図１に示す実施の形態に係る書類綴じ具をファイルに取付けた状態を示す斜視図である。
【図７】図６の使用状況を説明するための要部拡大図である。
【図８】図１に示す実施の形態に係る書類綴じ具を、異なる使用形態でファイルに取付けた状態を示す斜視図である。
【図９】図８の使用状況を説明するための要部拡大断面図である。
【符号の説明】
【００２２】
１，３１  合成樹脂製書類綴じ具              ２  一方の基片
３  他方の基片                            ５，５Ａ  セパレート片
６，６  帯状綴じ片                        ７，７  係止突起
８，１７  切欠                            １０  凸部
１１，１８  加熱溶着部                    １５，１５  短片
１６，１６  係止穴                        １９  ヒンジ部
２０  一部カット                          ３５  ファィル
３６  裏表紙                                ３８  インナーファイル
３９  綴じ穴                              ４０  ポケット部
４１  開口
【図１】
2005125562.tif 000003
【図２】
2005125562.tif 000004
【図３】
2005125562.tif 000005
【図４】
2005125562.tif 000006
【図５】
2005125562.tif 000007
【図６】
2005125562.tif 000008
【図７】
2005125562.tif 000009
【図８】
2005125562.tif 000010
【図９】
2005125562.tif 000011